(57)【要約】【課題】可動体をスムーズに回動させることができ、可動役物を破損することもない遊技機を提供する。【解決手段】遊技領域３１ｂに可動役物２００を備えた遊技機１０において、可動役物は、駆動源２０１により回動する可動体２０２の底部及び接地部に設けられ、可動体を回動可能に支持する可動体支持手段２０５を有し、可動体支持手段は、車軸２０７が可動体の回動中心線Ｇ上の一点Ｈを含んだ回動中心線に対する垂直面Ｊ上に位置すると共に、一点から等距離に配置され、かつ、車軸の延長線Ｋが、一点で交わるようにされた複数の車輪状回動体２０６と、車輪状回動体が接面する円形状のレール部２０８とを有しており、車輪状回動体には、レール部に接面する接面部２１７の少なくとも一部に傾斜面２１８が形成され、当該傾斜面は、その面を延長した先が一点で交わるようになっており、レール部には、傾斜面と平行となる傾斜レール部２１９が形成されている。【選択図】図７
2010273996.tif 000002
【特許請求の範囲】
【請求項１】
遊技盤の表面側に形成された遊技領域に可動役物を備えた遊技機において、
前記可動役物は、
電気的に駆動力を発生させる駆動源と、
前記駆動源の駆動力により回動する可動体と、
前記可動体の底部及び前記可動体の底部が接地する接地部に設けられ、前記可動体を回動可能な状態に支持する可動体支持手段と、
を有し、
前記可動体支持手段は、
車軸が前記可動体の回動中心線上の一点を含んだ前記回動中心線に対する垂直面上に位置すると共に、前記一点から等距離となる位置に配置され、かつ、前記車軸の延長線が、前記一点で交わるように構成された複数の車輪状回動体を前記可動体の底部に有し、前記複数の車輪状回動体が接面して回動する円形状のレール部を前記接地部に有する構成、
又は、
前記複数の車輪状回動体を前記接地部に有し、前記レール部を前記可動体の底部に有する構成、
のいずれかの構成を有しており、
前記車輪状回動体には、前記レール部に接面する接面部の少なくとも一部に傾斜面が形成されており、当該傾斜面は、その面を延長した先が前記一点で交わるようになっており、
前記レール部には、前記傾斜面が接面する位置に、当該傾斜面と平行となる傾斜レール部が形成されていることを特徴とする遊技機。
【発明の詳細な説明】
【技術分野】
【０００１】
本発明は遊技機に関し、特に、電気的に可動する可動役物を有する遊技機に関するものである。
【背景技術】
【０００２】
従来、パチンコ遊技機等の遊技機の中には、電気的に可動する可動役物を有していて、当該可動役物を用いて遊技演出を行うものがある。このような可動役物の中には、可動役物において駆動させる可動体に、特許文献１に示す模型体１０１の前輪１０３及び後輪１０４のような複数の車輪状回動体を備えていて、可動体の駆動の際にこの複数の車輪状回動体が回動して、可動体が移動するようになっているものが提案されている。
【先行技術文献】
【特許文献】
【０００３】
【特許文献１】特開２００２−２０４８８８号公報
【発明の概要】
【発明が解決しようとする課題】
【０００４】
ところで、前記したような遊技機における可動役物では、通常、複数の車輪状回動体はそれぞれ、中心に車軸を有する円柱形状に形成されており、円柱の周面（側面）が接面して車軸を中心に回動することで、可動体が移動するようになっている。ここで、可動体が直線移動する場合には、可動体が円柱形状の車輪状回動体を有していても問題ないが、可動体が回転移動（回動移動）する場合には、可動体に備えている車輪状回動体が円柱形状であると、車輪状回動体の周面、特に車輪状回動体における可動体の回動中心に近い側は、可動体の回動中心から遠い側より強い力が掛かり易く、これにより車輪状回動体に無理な力が掛かって、可動体がスムーズに回動しなかったり、可動役物を破損してしまったりする不具合が生じる虞があった。
【０００５】
本発明は、このような事情に鑑みてなされたものであり、回動するように構成された可動体をスムーズに回動させることができ、可動役物を破損することもない遊技機を提供することを目的とする。
【課題を解決するための手段】
【０００６】
かかる課題を解決するために、本発明の請求項１に記載の発明は、遊技領域に備えられた可動役物が、駆動源の駆動力により回動する可動体と、可動体の底部及び可動体の底部が接地する接地部に設けられ、可動体を回動可能な状態に支持する可動体支持手段と、を有し、可動体支持手段は、車軸が可動体の回動中心線上の一点を含んだ回動中心線に対する垂直面上に位置すると共に、一点から等距離となる位置に配置され、かつ、車軸の延長線が、一点で交わるように構成された複数の車輪状回動体を可動体の底部に有し、複数の車輪状回動体が接面して回動する円形状のレール部を接地部に有する構成、又は、複数の車輪状回動体を接地部に有し、レール部を可動体の底部に有する構成、のいずれかの構成を有しており、車輪状回動体には、レール部に接面する接面部の少なくとも一部に傾斜面が形成されており、当該傾斜面は、その面を延長した先が前記一点で交わるようになっており、レール部には、傾斜面が接面する位置に、当該傾斜面と平行となる傾斜レール部が形成されている遊技機としたことを特徴とする。
【０００７】
請求項１に係る発明によれば、可動役物における可動体の車輪状回動体に無理な力が掛からないため、可動体をスムーズに回動させることができ、かつ、可動役物を破損させないようにすることができる。
【図面の簡単な説明】
【０００８】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の第２可動役物の正面簡略図である。
【図５】図４のＡ−Ａ線での断面を示す横断面図である。
【図６】図４のＢ−Ｂ線での断面を示す横断面図である。
【図７】図６のＣ−Ｃ線での断面を示す横断面図である。
【図８】図４の第２可動役物の一部斜視図である。
【発明を実施するための形態】
【０００９】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１０】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１１】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１２】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１３】
窓枠１３は前枠１２の前面に装着されている。この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１４】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１５】
遊技板３１は、遊技盤３０の有する各構成部材を固定するための板である。ガイドレール３２は、この遊技板３１の表面側に固定されて、この遊技板３１上に、パチンコ球の発射通路３１ａと遊技領域３１ｂとを形成する。遊技領域３１ｂには複数の障害釘（図示省略）が打ち込まれている。上述の打球槌が弾いたパチンコ球は、発射通路３１ａを通して遊技領域３１ｂ内に放出される。そして、遊技領域３１ｂ内に放出されたパチンコ球は障害釘に当りながら転動して遊技領域３１ｂ内を落下する。
【００１６】
遊技盤３０のほぼ中央部には、センター役物と呼ばれる装飾演出手段が設けられている。本実施の形態におけるセンター役物は、カラー液晶ディスプレイ等を用いた演出表示装置３７と、その周りに配置された装飾部材等で構成されている。このうち、演出表示装置３７は、大当り遊技状態を発生させるか否かの判定結果に基づき変動演出表示を行う広い面積の表示画面３７ａを有している。
【００１７】
また、演出表示装置３７の上方には、可動体が電気的に可動する第１可動役物１００が配置されている。また、演出表示装置３７の左側方には、可動体が電気的に可動する、本発明の可動役物としての第２可動役物２００が配置されている。
【００１８】
第１可動役物１００は、演出表示装置３７の表示画面３７ａで行われる変動演出表示などのパチンコ遊技機１０の演出制御に応じて可動することで遊技の演出を行うようになっている。本実施の形態の第１可動役物１００は、龍の頭及び胴体を模した複数の可動体を有している。そして、この第１可動役物１００は、図示しない駆動源としてのアクチュエータ（ソレノイド、モータ等からなり、本実施の形態ではモータ）に電気的に駆動されて、龍の頭部及び上顎を模した第１可動体（図示省略）、龍の下顎を模した第２可動体（図示省略）、龍の胴体を模した第３可動体（図示省略）が、少なくとも往復駆動（本実施の形態ではパチンコ遊技機１０の上下方向への往復駆動）又は回動駆動するように構成されている。
【００１９】
第２可動役物２００は、第１可動役物１００と同様に、演出表示装置３７の表示画面３７ａで行われる変動演出表示などのパチンコ遊技機１０の演出制御に応じて可動することで遊技の演出を行うようになっている。本実施の形態の第２可動役物は、龍の尻尾を模した可動体を有している。そして、この第２可動役物２００は、本発明の駆動源としてのアクチュエータ２０１（ソレノイド、モータ等からなり、本実施の形態ではモータ）に電気的に駆動されて、龍の尻尾を模した可動体２０２が、スライド駆動又は回動駆動するように構成されている。なお、本実施の形態ではパチンコ遊技機１０の上下方向（本実施の形態では、重力方向及び反重力方向と同じ方向）Ｆを軸方向として回動駆動するようになっている。また、第２可動役物２００の詳細については後述する。
【００２０】
また、演出表示装置３７の右側方には、第１固定演出部材３８が配置されている。本実施の形態の第１固定演出部材３８は、龍の胴体を模した形状に形成されている。このように、本実施の形態では、龍の頭及び胴体を模した第１可動役物１００、龍の胴体を模した第１固定演出部材３８、龍の尻尾を模した第２可動役物２００を、演出表示装置３７の周囲に配置することにより、これらの可動役物及び固定演出部材で演出表示装置３７の周囲を１匹の龍が囲んでいるような状態を表現している。
【００２１】
また、第１固定演出部材３８のさらに右側方には、第２固定演出部材３９が配置されている。また、演出表示装置３７の下方には、パチンコ球を始動入賞口３３に入賞し易くなるように誘導する誘導路を始動入賞口３３の真上に設けた、略水平面で構成されたステージ３６が配置されている。このステージ３６には、遊技領域３１ｂの途中から第２可動役物２００の左側に設けられたワープ通路（図示省略）に入ったパチンコ球が誘導されるように構成されている。
【００２２】
また、遊技領域３１ｂ内において、演出表示装置３７の下方には始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２３】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２４】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２５】
次に、第２可動役物２００について、図４〜図８を参照して、さらに詳細に説明する。図４は、本発明の実施の形態における第２可動役物の正面簡略図であり、図５は、図４のＡ−Ａ線での断面を示す横断面図であり、図６は、図４のＢ−Ｂ線での断面を示す横断面図であり、図７は、図６のＣ−Ｃ線での断面を示す横断面図であり、図８は、図４の第２可動役物の一部斜視図である。なお、図４〜図８については、便宜上、実際の構成を簡略化したり省略したりして図示している場合がある。
【００２６】
第２可動役物２００は、図４に示すように、表示演出サブ基板２１からの指示を受け、かつ、電源基板２５からの電源供給を受けて電気的に駆動力を発生させる本発明の駆動源としてのアクチュエータ２０１（本実施の形態ではモータ）と、アクチュエータ２０１の駆動力により、上下方向Ｆ以外の駆動方向（本実施の形態では右回り又は左回りの回転方向Ｅ）に駆動される、龍の尻尾を模した可動体２０２と、可動体２０２に設けられた本発明の連結部としての連結孔２０３の上方に配置されて当該連結孔２０３に連結され、駆動源２０１の駆動力を可動体２０２に伝達する駆動力伝達手段２０４と、可動体２０２の底部及び可動体２０２の下方において可動体２０２の底部が接地する接地部に設けられ、可動体２０２を駆動（本実施の形態では回動）可能な状態に支持する（本実施の形態では下方から支持する）可動体支持手段２０５とを有している。
【００２７】
駆動力伝達手段２０４は、アクチュエータ２０１の回動軸２０６に固定された第１平歯車２０７と歯合する第２平歯車２０９、当該第２平歯車２０９の中心に固定された横軸２０８上の所定位置に固定された第１かさ歯車２１０、当該第１かさ歯車２１０と歯合する第２かさ歯車２１２、当該第２かさ歯車２１２の中心に固定された縦軸２１１、当該縦軸２１１を上方から挿通して回動自在に保持する挿通孔２１３を有し遊技盤３０側に固定されたブッシュ２１４等を有している。なお、図示しないが、駆動力伝達手段２０４には、センター役物側に固定されてアクチュエータ２０１や横軸２０８等を可動体２０２とは別に支持する種々の支持部材を有している。
【００２８】
第２かさ歯車２１２に固定された本実施の形態の縦軸２１１は、図５に示すように、切欠部２１５を備えた断面視略Ｄ字状に形成されている。また、ブッシュ２１４の挿通孔２１３を貫通させた縦軸２１１を上方から挿通する可動体２０２の連結孔２０３は、平面部２１６を備えた断面視略Ｄ字状に形成されており、縦軸２１１より若干大きく形成されている。これらのことから、連結孔２０３に縦軸２１１を挿通された状態では、まず、連結孔２０３が縦軸２１１より大きく形成されていることで、挿通方向である上下方向Ｆに対しては連結孔２０３と縦軸２１１が連結（係合）されずに連結孔２０３の中で縦軸２１１が上下動自在とされている。その上で、連結孔２０３と縦軸２１１の形状が断面視略Ｄ字状のような挿通した状態で互いに回動自在とはならない形状とされていることで、駆動方向である回動方向Ｅに対しては第２かさ歯車２１２の回動に応じて縦軸２１１が回動方向Ｅに回動したときに、所定角度回動したところで互いに断面視略Ｄ字状に形成された縦軸２１１が連結孔２０３の壁面に引っ掛かり、連結孔２０３と縦軸２１１が連結（係合）されるようになっている。
【００２９】
この結果、本発明の連結部としての連結孔２０３における駆動力伝達手段２０４と可動体２０２との連結状態が、縦軸２１１の挿通方向である上下方向Ｆに対しては連結されずに上下動自在となり、可動体２０２の駆動方向である回転方向Ｅに対しては連結されて駆動力伝達手段２０４の縦軸２１１の回動に応じて可動体２０２が回動し、駆動力伝達手段２０４が可動体２０２とは別に支持されている、という状態になる。このような上下方向Ｆの動きが固定されない連結状態により、駆動力伝達手段２０４には可動体２０２の重量が掛からず、かつ、回動方向Ｅの動きは伝達されることから、駆動源２０１の駆動力は可動体２０２に伝達される、という構成が成立している。
【００３０】
なお、連結孔２０３と縦軸２１１における略Ｄ字状の断面形状は、互いに相似形でも異なる形であっても良く、また、略Ｄ字状以外の形（例えば、三角形等の多角形）であっても良い。また、連結孔２０３と縦軸２１１の断面形状は、上下方向のどの箇所でも同じ形状である必要はない。例えば、縦軸２１１が断面視略円形状でその上下方向Ｆの一部箇所に突起が設けられており、連結孔２０３をこれが上方から挿通可能な形状とすることで、上下方向Ｆの動きは固定されず、かつ、回動方向Ｅの動きは伝達可能とするようになっていても良い。要は、本発明の連結部としての連結孔２０３と本発明の駆動力伝達手段２０４の一部である縦軸２１１の互いの形状が、上下方向Ｆの動きは固定されずに、駆動方向である回動方向Ｅの動きは伝達可能となる形状になっていれば良い。
【００３１】
また、可動体支持手段２０５は、図６〜図８に示すように、可動体２０２の底部に可動体２０２の一部として設けられた部材と、可動体２０２の底部が接地する接地部に可動体２０２とは別部材として設けられた部材とで構成されている。詳しくは、図８に示すように、可動体支持手段２０５は、可動体２０２の底部に可動体２０２の一部として固定された底面板２２０と、当該底面板２２０と一体に接合された車輪状回動体用枠部材２２１とを有し、車輪状回動体用枠部材２２１には、複数の車輪状回動体２０６を回動可能に支持する複数の支持部２２２が形成されている。そして、当該支持部２２２には、複数の車輪状回動体２０６が取り付けられている。また、可動体２０２と別部材として、可動体２０２の下方において可動体２０２の底部が接地する接地部に、複数の車輪状回動体２０６が接面して回動するレール部２０８を有している。
【００３２】
なお、前記した車輪状回動体２０６等とレール部２０８は上下が逆に設けられていても良く、その場合は、レール部２０８が可動体２０２の底部に可動体２０２の一部として設けられ、車輪状回動体２０６が可動体２０２の下方に可動体２０２とは別部材として設けられることになる。
【００３３】
前記した複数の車輪状回動体２０６は、その車軸２０７がそれぞれ、回動する可動体２０２の上下方向Ｆに延びる回動中心線Ｇ上の一点である中心点Ｈを含んだ回動中心線Ｇに対する垂直面Ｊ上に位置している。また、複数の車輪状回動体２０６は、回動中心線Ｇ上の中心点Ｈから等距離となる位置、すなわち中心点Ｈを中心とした同心円の上に配置されている。また、複数の車輪状回動体２０６は、車軸２０７の延長線Ｋが、中心点Ｈで交わるように構成されている。
【００３４】
また、車輪状回動体２０６には、レール部２０８に接面する接面部（車輪状回動体２０６の周面（側面））２１７を有しており、この接面部２１７の少なくとも一部には傾斜面２１８が形成されており、当該傾斜面２１８は、その面を延長した先が中心点Ｈで交わるようになっている。言い換えると、傾斜面２１８は、接面部２１７における車軸方向の途中の一点から中心点Ｈに延びる直線Ｍと平行となるように形成されている。本実施の形態では、車輪状回動体２０６の接面部２１７における中心点Ｈ寄りの約３／５程度の幅の面が傾斜して傾斜面２１８となっている。また、本実施の形態では、傾斜面２１８を除く接面部２１７は回動中心線Ｇに垂直な面、すなわち水平面となっている。なお、可動体２０２のスムーズな可動のためには、接面部２１７の全てが傾斜面２１８となっているのが理論上良いが、実際上は、接面部２１７の全てを傾斜面２１８とすると、接面部２１７の最も外側が鋭角状態となって、摩耗し易い状態となるため、接面部２１７の外側部分を傾斜のない平坦部とするのが好ましい。
【００３５】
また、複数の車輪状回動体２０６が接面して回動するレール部２０８は、円形状に形成されており、車輪状回動体２０６が常にこのレール部２０８に接面して回動するようになっている。また、レール部２０８において、車輪状回動体２０６の傾斜面２１８が接面する位置には、傾斜面２１８と平行となる傾斜レール部２１９が形成されている。本実施の形態の傾斜レール部２１９は、本実施の形態における傾斜面２１８と平行になるべく、回動中心線Ｇを中心とした円の内側から外側に向かって上方から下方に傾斜するようになっており、レール部２０８全体としては略円錐台形状に形成されている。
【００３６】
このような構成により、アクチュエータ２０１の駆動力により可動体２０２が回動する際に、可動体２０２の底部に固定された底面板２２０と一体にされた車輪状回動体用枠部材２２１の支持部２２２に取り付けられた可動体支持手段２０５の車輪状回動体２０６が、可動体２０２の回動駆動に応じて回動中心線Ｇを中心として、その下方に設けられたレール部２０８上を回動するが、このとき、車輪状回動体２０６及びレール部２０８の一部分に無理な力が掛からないように、傾斜面２１８及び傾斜レール部２１９を有しており、このことで、スムーズな可動体２０２の可動を実現することができるようになっている。
【００３７】
以上のように、本実施の形態のパチンコ遊技機１０によれば、アクチュエータ２０１の駆動力は駆動力伝達手段２０４を介して可動体２０２に伝達するが、アクチュエータ２０１や駆動力伝達手段２０４に対して可動体２０２の重量は掛からないように構成されているため、アクチュエータ２０１自体やアクチュエータ２０１と可動体２０２とを連結する駆動力伝達手段２０４に無理な力が掛からず、その結果、第２可動役物２００における可動体２０２の駆動状態を良好に保つことができる。
【００３８】
さらに、駆動力伝達手段２０４と可動体２０２とは、上下方向Ｆに対しては連結されずに駆動方向である回動方向Ｅには連結された状態に構成されているため、可動体２０２の駆動で当該可動体２０２を支持する（本実施の形態では下方から支持する）可動体支持手段２０５が、摩耗等により上下方向Ｆにおける位置ずれを起こし、これに伴い可動体２０２の上下方向Ｆの位置にずれが生じても、可動体２０２の回動方向Ｅへの駆動には影響を与えず、可動体２０２を回動方向Ｅに確実に駆動させることができる。
【００３９】
特に、本実施の形態のように、駆動源からの駆動力をかさ歯車を用いて可動体に伝達する構成の場合、かさ歯車は歯合するときの歯車同士の位置関係等に厳しい精度が求められる。このため、歯車や軸の摩耗によって、かさ歯車の位置関係等に変化が起こると、すぐに正常な歯合状態を保つことができなくなってしまい、その結果、駆動源からの駆動力を可動体に正常に伝達できなくなってしまう虞がある。しかし、本発明のように、かさ歯車に対して可動体の重量を掛けないようになっていると、かさ歯車の摩耗や位置精度の変化を極力抑えることができ、なおかつ、可動体や可動体支持手段の摩耗により可動体の上下方向の位置に変化が生じても、その変化が直接、駆動力伝達手段のかさ歯車の歯合状態に影響を与えないようにすることができるため、可動役物を長い期間、正常な動作で使用することができるものである。
【００４０】
また、本実施の形態のパチンコ遊技機１０によれば、第２可動役物２００における可動体２０２の車輪状回動体２０６に無理な力が掛からないため、可動体２０２をスムーズに回動させることができ、かつ、第２可動役物２００を破損させないようにすることができる。
【００４１】
なお、以上説明した各実施の形態は、本発明の理解を容易にするために記載されたものであって、本発明を限定するために記載されたものではない。
【００４２】
例えば、前記した実施の形態では、遊技機としてパチンコ遊技機を挙げて説明したが、本発明はこれに限るものではなく、パチスロ遊技機等の他の遊技機にも適用可能である。
【００４３】
また、前記した実施の形態では、駆動力伝達手段の一部にかさ歯車を用いた構成となっていたが、これに限るものではなく、本発明の駆動力伝達手段は、例えば平歯車のみを用いた歯車機構等、種々の構成から成っていても良い。
【００４４】
また、可動体支持手段の構成としては、前記した実施の形態に限るものではなく、例えば、可動体とセンター役物との両方にレール部を備え、可動体のレール部とセンター役物のレール部との間に車輪状回動体を備えた構成となっていても良い。
【００４５】
また、車輪状回動体の形状等は、前記した実施の形態のものに限らず、同様の構成が得られるものであれば、適宜の形状のものを使用しても良い。
【符号の説明】
【００４６】
１０…パチンコ遊技機（遊技機）、３０…遊技盤、３１ｂ…遊技領域、２００…第２可動役物（可動役物）、２０１…アクチュエータ（駆動源）、２０２…可動体、２０３…連結孔（連結部）、２０４…駆動力伝達手段、２０５…可動体支持手段、２０６…車輪状回動体、２０７…車軸、２０８…レール部、２１７…接面部、２１８…傾斜面、２１９…傾斜レール部
【図１】
2010273996.tif 000003
【図２】
2010273996.tif 000004
【図３】
2010273996.tif 000005
【図４】
2010273996.tif 000006
【図５】
2010273996.tif 000007
【図６】
2010273996.tif 000008
【図７】
2010273996.tif 000009
【図８】
2010273996.tif 000010